(57)【特許請求の範囲】
【請求項１】
装置本体と、
前記装置本体から引出し可能に前記装置本体に設けられた、硬貨を搬送する搬送路と、
前記搬送路に設けられ、前記硬貨が落下する落下口と、
前記落下口の下方の前記装置本体内に設けられ、且つ、前記落下口より落下する前記硬貨を受け入れる第１の開口部を有する硬貨受入部と、
前記搬送路と前記硬貨受入部との間であって、前記第１の開口部を取り囲むように設けられた板状の弾性部材と、
を備え、
前記弾性部材は、
前記第１の開口部と対応する位置に設けられた、前記第１の開口部と略同一の形状の第２の開口部を有し、
前記第２の開口部の周囲に設けられた毛足状部材を含み、前記搬送路が前記装置本体に取り付けられた際に、前記搬送路と前記硬貨受入部との間に生じる隙間が前記硬貨の厚みよりも狭くなるように、前記搬送路と前記硬貨受入部との間に設けられる、
現金処理装置。
【請求項２】
装置本体と、
前記装置本体から引出し可能に前記装置本体に設けられた、硬貨を搬送する搬送路と、
前記搬送路に設けられ、前記硬貨が落下する落下口と、
前記落下口の下方の前記装置本体内に設けられ、且つ、前記落下口より落下する前記硬貨を受け入れる第１の開口部を有する硬貨受入部と、
前記搬送路と前記硬貨受入部との間であって、前記第１の開口部を取り囲むように設けられた板状の弾性部材と、
を備え、
前記弾性部材は、前記搬送路と前記硬貨受入部との間に設けられた複数の板状部材を含む、
現金処理装置。
【請求項３】
装置本体と、
前記装置本体から引出し可能に前記装置本体に設けられた、硬貨を搬送する搬送路と、
前記搬送路に設けられ、前記硬貨が落下する落下口と、
前記落下口の下方の前記装置本体内に設けられ、且つ、前記落下口より落下する前記硬貨を受け入れる第１の開口部を有する硬貨受入部と、
前記搬送路と前記硬貨受入部との間であって、前記第１の開口部の周囲に設けられた板状の弾性部材と、
を備え、
前記弾性部材は、
前記第１の開口部を取り囲む周辺領域と、
前記周辺領域から前記搬送路の前記硬貨受入部側の面の下方の全体に広がるように延伸する拡張領域と、
を有し、
前記拡張領域においては、前記弾性部材と前記搬送路の前記硬貨受入部側の面との間に空間が存在する、
現金処理装置。
【請求項４】
前記弾性部材は、前記第１の開口部と対応する位置に設けられた、前記第１の開口部と略同一の形状の第２の開口部を有する、請求項２又は３に記載の現金処理装置。
【請求項５】
前記第２の開口部は、前記第１の開口部と同じ、もしくは、前記第１の開口部に比べて大きく開口する、請求項１又は４に記載の現金処理装置。
【請求項６】
前記弾性部材は、前記硬貨受入部の前記第１の開口部の外周を定める枠上に設けられる、請求項１に記載の現金処理装置。
【請求項７】
前記弾性部材は、樹脂材料又はゴムから形成される、請求項１から６のいずれか１項に記載の現金処理装置。
【請求項８】
前記弾性部材は、マイラーシートから形成される、請求項７に記載の現金処理装置。
【請求項９】
前記第１の開口部は前記落下口に比べて大きく開口する、請求項１から８のいずれか１項に記載の現金処理装置。
【発明の詳細な説明】
【技術分野】
【０００１】
本発明は、現金処理装置に関する。
【背景技術】
【０００２】
店舗等においては、現金処理装置の１種である硬貨処理装置が利用されている。硬貨処理装置は、店舗等に設置されたレジスタから回収された硬貨を管理する装置である。硬貨処理装置は、例えば、硬貨受領部と、硬貨認識部と、選別搬送部と、硬貨収納部とを有している。この硬貨処理装置においては、レジスタから回収された硬貨を硬貨受領部で受け入れた後に、硬貨認識部へ搬送し、硬貨認識部は、搬送された硬貨の金種を判別、計数し、選別搬送部に搬送する。そして、選別搬送部は、硬貨認識部により得られた判別結果に基づいて、搬送された硬貨を選別し、金種ごとに硬貨を収納する硬貨収納部へ送出する。さらに詳細には、選別搬送部は、複数の落下口が設けられた搬送路を持ち、上記判別結果に基づいて、硬貨を落下口から硬貨収納部へ落下させることにより硬貨を選別する。このような硬貨処理装置の一例として、下記特許文献１に開示された硬貨処理装置を挙げることができる。
【０００３】
さらに、硬貨処理装置は、硬貨受領部、硬貨認識部及び選別搬送部等が設けられたユニットと、硬貨収納部等が設けられた装置本体とを有し、当該ユニットは、保守等のために、装置本体から引出すことができるようになっている。そして、当該ユニットを装置本体から引出すために、当該ユニットと装置本体との間には隙間（例えば、数ミリ程度）が存在する。
【先行技術文献】
【特許文献】
【０００４】
【特許文献１】特開２０１３−１４５４８８号公報
【発明の概要】
【発明が解決しようとする課題】
【０００５】
当該ユニットと装置本体との間に隙間が存在することにより、当該ユニット内に設けられた選別搬送部（搬送路）と、当該装置本体内に設けられた硬貨収納部との間には隙間が存在することとなる。従って、選別搬送部の搬送路の落下口から硬貨収納部へ向かって硬貨が落下する際には、落下した硬貨が、選別搬送部と硬貨収納部との間の隙間に入り込むことがある。このような場合、硬貨が当該隙間に入り込むことで当該硬貨が適切に硬貨収納部に収納されないため、硬貨認識部の計数結果と硬貨収納部に収納された硬貨の総額とが異なる違算が生じることとなる。
【０００６】
また、硬貨処理装置に対して、単に上記隙間を塞ぐだけの隙間塞ぎ部材を設ける構造を採用した場合には、上記装置本体から上記ユニット（搬送路）を引き出す際には、隙間塞ぎ部材が装置本体にひっかかり、場合によっては、隙間塞ぎ部材が破壊されてしまうことがある。
【０００７】
そこで、本発明は、上記問題に鑑みてなされたものであり、本発明の目的とするところは、ユニット（搬送路）の引出の際に生じる破壊を避けつつ、硬貨が隙間に入り込むことを防ぐことが可能な、新規かつ改良された現金処理装置を提供することにある。
【課題を解決するための手段】
【０００８】
上記課題を解決するために、本発明のある観点によれば、装置本体と、前記装置本体から引出し可能に前記装置本体に設けられた、硬貨を搬送する搬送路と、前記搬送路に設けられ、前記硬貨が落下する落下口と、前記落下口の下方の前記装置本体内に設けられ、且つ、前記落下口より落下する前記硬貨を受け入れる第１の開口部を有する硬貨受入部と、前記搬送路と前記硬貨受入部との間であって、前記第１の開口部の周囲に設けられた板状の弾性部材と、を備え、前記弾性部材は、前記第１の開口部と対応する位置に設けられた、前記第１の開口部と略同一の形状の第２の開口部を有し、前記第２の開口部の周囲に設けられた毛足状部材を含み、前記搬送路が前記装置本体に取り付けられた際に、前記搬送路と前記硬貨受入部との間に生じる隙間が前記硬貨の厚みよりも狭くなるように、前記搬送路と前記硬貨受入部との間に設けられる、現金処理装置が提供される。
【０００９】
前記弾性部材は、前記第１の開口部と対応する位置に設けられた、前記第１の開口部と略同一の形状の第２の開口部を有してもよい。
【００１０】
前記第２の開口部は、前記第１の開口部と同じ、もしくは、前記第１の開口部に比べて大きく開口してもよい。
【００１３】
上記課題を解決するために、本発明のある別の観点によれば、装置本体と、前記装置本体から引出し可能に前記装置本体に設けられた、硬貨を搬送する搬送路と、前記搬送路に設けられ、前記硬貨が落下する落下口と、前記落下口の下方の前記装置本体内に設けられ、且つ、前記落下口より落下する前記硬貨を受け入れる第１の開口部を有する硬貨受入部と、前記搬送路と前記硬貨受入部との間であって、前記第１の開口部の周囲に設けられた板状の弾性部材と、を備え、前記弾性部材は、前記第１の開口部を取り囲む周辺領域と、前記周辺領域から前記搬送路の前記硬貨受入部側の面の下方の全体に広がるように延伸する拡張領域と、を有し、前記拡張領域においては、前記弾性部材と前記搬送路の前記硬貨受入部側の面との間に空間が存在してもよい。
【００１４】
上記課題を解決するために、本発明のある別の観点によれば、装置本体と、前記装置本体から引出し可能に前記装置本体に設けられた、硬貨を搬送する搬送路と、前記搬送路に設けられ、前記硬貨が落下する落下口と、前記落下口の下方の前記装置本体内に設けられ、且つ、前記落下口より落下する前記硬貨を受け入れる第１の開口部を有する硬貨受入部と、前記搬送路と前記硬貨受入部との間であって、前記第１の開口部の周囲に設けられた板状の弾性部材と、を備え、前記弾性部材は、前記搬送路と前記硬貨受入部との間に設けられた複数の板状部材を含む、現金処理装置が提供される。
【００１５】
前記弾性部材は、前記硬貨受入部の前記第１の開口部の外周を定める枠上に設けられてもよい。
【００１６】
前記弾性部材は、樹脂材料又はゴムから形成されていてもよい。
【００１７】
前記弾性部材は、マイラーシートから形成されていてもよい。
【００１８】
前記開口部は前記落下口に比べて大きく開口してよい。
【発明の効果】
【００１９】
以上説明したように本発明によれば、搬送路の引出の際に生じる破壊を避けつつ、硬貨が隙間に入り込むことを防ぐことが可能である。
【図面の簡単な説明】
【００２０】
【図１】本発明の実施形態に係る硬貨処理装置１を正面から見た概略断面図である。
【図２】同実施形態に係る硬貨処理装置１を右側面から見た概略断面図である。
【図３】同実施形態に係る選別搬送部４０及び硬貨受入部４１６の概略断面図である。
【図４】図３の選別搬送部４０を上方から見た概略図である。
【図５】図３の弾性部材４２２を下方から見た概略図である。
【図６】同実施形態の第１の変形例に係る選別搬送部４０及び硬貨受入部４１６の概略断面図である。
【図７】図６の選別搬送部４０を上方から見た概略図である。
【図８】同実施形態の第２の変形例に係る選別搬送部４０を上方から見た概略図である。
【図９】同実施形態の第３の変形例に係る選別搬送部４０及び硬貨受入部４１６の概略断面図である。
【図１０】同実施形態の第４の変形例に係る選別搬送部４０及び硬貨受入部４１６の概略断面図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてシュート６０ａ及びシュート６０ｂのように区別する。ただし、実質的に同一の機能構成を有する複数の構成要素の各々を特に区別する必要がない場合には、同一符号のみを付する。例えば、シュート６０ａ及びシュート６０ｂを特に区別する必要が無い場合には、単にシュート６０と称する。
【００２３】
以下の説明においては、店舗等のバックヤードにおいて使用される硬貨処理装置１に本発明の実施形態を適用した場合について説明する。なお、以下に説明する実施形態は、硬貨処理装置１に適用することに限定されるものではなく、金融機関等で使用される硬貨を処理する自動現金取引装置のような現金処理装置に適用してもよく、特に限定されるものではない。
【００２４】
＜＜硬貨処理装置１の構成＞＞
図１及び図２を参照しながら、本発明の一実施形態に係る硬貨処理装置１の構成の一例について説明する。図１及び図２は、本実施形態に係る硬貨処理装置１の内部構成の一例を示す概略図である。詳細には、図１は、硬貨処理装置１を正面から見た概略断面図であり、図２は、図１に示す硬貨処理装置１を右側面側から見た概略断面図である。なお、硬貨処理装置１を操作する操作者は、硬貨処理装置１の正面に向かい合うように位置する。
【００２５】
本実施形態に係る硬貨処理装置１は、先に説明したように、店舗等に設置され、レジスタから回収された硬貨Ｃ等を管理する装置である。詳細には、硬貨処理装置１は、店舗の係員等がレジスタから運んできた硬貨Ｃを一括して受け入れた後、受け入れた各硬貨Ｃの金種を判別する。その後、硬貨処理装置１は、その判別結果に応じて金種毎に硬貨Ｃを選別し、選別した硬貨Ｃを収納する。
【００２６】
この硬貨処理装置１は、図１に示すように、硬貨処理装置１の上側に位置する引出ユニット２と、引出ユニット２の下方に位置する装置本体３とを有する。さらに、引出ユニット２は、硬貨受領部１０と、硬貨繰出部２０と、硬貨認識部３０と、選別搬送部４０とを主に有し、装置本体３は、リジェクトシュート５０と、シュート６０ａ〜６０ｆと、リジェクト硬貨収容部７０と、一時保留部８０と、返却箱９０と、ホッパ１１０と、搬送切替部１２０と、出金箱１３０と、回収箱１４０と、制御ユニット１５０とを主に有する。
【００２７】
＜引出ユニット２＞
引出ユニット２は、保守等のために、硬貨処理装置１の装置本体３から操作者側へ引出すことが可能である。また、硬貨処理装置１の正面側に扉（図示省略）を設け、当該扉を開けることにより、引出ユニット２が硬貨処理装置１の装置本体３から引出すことができるようにしてもよい。この場合、当該扉には、電磁的な施錠や機械的な施錠を行うことができる施錠部を設け、硬貨処理装置１の操作者が所定の操作（例えば、鍵を挿入する、又は、硬貨処理装置１に設けられた操作部に対して操作を行う等）を行うことによって、施錠部が解錠されるようにしてもよい。この引出ユニット２は、先に説明したように、硬貨受領部１０と、硬貨繰出部２０と、硬貨認識部３０と、選別搬送部４０とを主に有する。以下に、引出ユニット２の各機能部について説明する。
【００２８】
（硬貨受領部１０）
硬貨受領部１０は、投入される硬貨Ｃを受ける部分である。硬貨受領部１０は、例えば、図１及び図２に示すように、硬貨処理装置１（引出ユニット２）の上方、且つ正面側に位置する。硬貨受領部１０は、硬貨Ｃが投入される投入口１０２を有し、投入口１０２は、硬貨Ｃを一括して投入し易いように、上方に向かって広く開口している。硬貨受領部１０に投入された硬貨Ｃは、硬貨受領部１０の下方に位置する硬貨繰出部２０に落下する。
【００２９】
（硬貨繰出部２０）
硬貨繰出部２０は、図１に示すように、硬貨受領部１０の下方に位置し、硬貨受領部１０から落下した硬貨Ｃを、後述する硬貨認識部３０へ１枚ずつ繰り出す。詳細には、硬貨繰出部２０内には、例えば回転円盤（図示省略）が設けられている。硬貨繰出部２０へ落下した硬貨Ｃは、回転円盤によって受け止められ、回転円盤が回転する際の遠心力により回転円盤の外周へ移動し、１枚ずつ硬貨認識部３０へ繰り出される。
【００３０】
（硬貨認識部３０）
硬貨認識部３０は、図１に示すように、硬貨繰出部２０と接続されており、硬貨繰出部２０から繰り出された硬貨Ｃの真偽、金種等の判別を行う。硬貨認識部３０は、例えば、硬貨Ｃを認識するセンサ（図示省略）を有し、センサで検出した硬貨Ｃの特徴に基づいて、硬貨Ｃの真偽、金種等を判別する。また、硬貨認識部３０は、判別した硬貨を計数することもできる。さらに、硬貨認識部３０は、判別した硬貨Ｃを後述する選別搬送部４０に搬送する。
【００３１】
（選別搬送部４０）
選別搬送部４０は、図１に示すように、硬貨認識部３０と接続されており、硬貨認識部３０による判別結果に基づいて、硬貨Ｃを選別する。選別搬送部４０は、硬貨Ｃを選別搬送部４０の上流から下流（図２においては左から右に向かう方向）に向かって搬送する、直線状に伸びる搬送路（図示省略）を有し、当該搬送路は、硬貨Ｃが落下するための複数の開口部（落下口）を有する。複数の落下口は、搬送方向に沿って並んでおり、例えば、後述するリジェクト硬貨収容部７０に収納される硬貨Ｃが落下するためのリジェクト口（図示省略）や、後述する一時保留部８０に収納される硬貨Ｃが落下するための金種別排出口（図示省略）にあたる。詳細には、リジェクト口は、例えば硬貨認識部１４において真貨で無いと判別された硬貨Ｃをリジェクト硬貨収容部７０へ落下させるための開口部であり、図２に示される硬貨処理装置１では、リジェクト口は１個設けられている。また、金種別排出口は、硬貨処理装置１で取り扱う硬貨Ｃの金種ごとに設けられており、硬貨認識部３０での判別結果に基づいて、硬貨Ｃを硬貨Ｃの金種に対応する一時保留部８０内の保留部８００へ落下させるための開口部である。さらに、各落下口には、後述する制御ユニット１５０によって開閉制御されるゲート（図示省略）が設けられており、各ゲートが開くことにより各落下口から硬貨Ｃが落下する。なお、リジェクト口の下方には、図２に示すように、リジェクト口を通過した硬貨Ｃをリジェクト硬貨収容部７０へ導くリジェクトシュート５０が配置されている（図１においては、リジェクトシュート５０は破線矢印Ｒのルートに配置されている）。さらに、各金種別排出口の下方には、図２に示すように、各金種別排出口から排出された硬貨Ｃを一時保留部８０へ導くシュート６０ａ〜６０ｆが配置されている（図１においては、シュート６０ａ〜６０ｆは矢印Ｑのルートに配置されている）。また、本実施形態においては、リジェクト口は１個に限定されるものではなく、複数個設けられていてもよい。選別搬送部４０の詳細については、後で説明する。
【００３２】
なお、上述の説明においては、選別搬送部４０は、直線的に延びる搬送方向に沿って硬貨Ｃを搬送する直線状に伸びる搬送路（図示省略）を有するものとして説明したが、本実施形態においては、選別搬送部４０はこのような形態に限定されるものではない。本実施形態に係る選別搬送部４０は、例えば、回転円盤によって、硬貨Ｃをドーナツ状の搬送路上で搬送するような形態であってもよく、この場合、ドーナツ状の搬送路に設けられた落下口のゲートが開くことにより、搬送された硬貨Ｃが落下する。
【００３３】
＜装置本体３＞
装置本体３は、図１及び図２に示されるように、引出ユニット２の下方に位置し、リジェクトシュート５０と、シュート６０ａ〜６０ｆと、リジェクト硬貨収容部７０と、一時保留部８０と、返却箱９０と、ホッパ１１０と、搬送切替部１２０と、出金箱１３０と、回収箱１４０と、制御ユニット１５０とを主に有する。以下に、装置本体３の各機能部について説明する。
【００３４】
（リジェクトシュート５０及びシュート６０ａ〜６０ｆ）
先に説明したように、リジェクトシュート５０は、図２に示すように、リジェクト口の下方に配置され、リジェクト口を通過した硬貨Ｃをリジェクト硬貨収容部７０へ導く。また、シュート６０ａ〜６０ｆは、図２に示すように、各金種別排出口の下方に配置され、各金種別排出口を通過した硬貨Ｃを一時保留部８０内の各保留部８００へ導く。なお、リジェクト口及び金種別排出口からリジェクト硬貨収容部７０及び一時保留部８０へ硬貨Ｃを直接落下させることが可能な位置に、リジェクト口及び金種別排出口とリジェクト硬貨収容部７０及び一時保留部８０(保留部８００)とが設けられている場合には、リジェクトシュート５０及びシュート６０ａ〜６０ｆを硬貨処理装置１（装置本体２）内に設けなくてもよい。この場合、硬貨Ｃは、リジェクトシュート５０及びシュート６０ａ〜６０ｆを介することなく、リジェクト口及び金種別排出口からリジェクト硬貨収容部７０及び一時保留部８０内の保留部８００へ直接落下する。
【００３５】
（リジェクト硬貨収容部７０）
リジェクト硬貨収容部７０は、先に説明したように、リジェクト口からリジェクトシュート５０を通過した硬貨Ｃを収納する。リジェクトシュート５０を通過する硬貨Ｃとしては、例えば、硬貨認識部３０において真貨で無いと判別された硬貨Ｃを挙げることができる。そして、リジェクト硬貨収容部７０は、硬貨処理装置１の正面に開閉可能な扉（図示省略）を有し、硬貨処理装置１の操作者が扉を開けることにより、リジェクト硬貨収容部７０内の硬貨Ｃを取り出すことができる。
【００３６】
（一時保留部８０）
一時保留部８０は、金種別排出口からシュート６０ａ〜６０ｆを通過した硬貨Ｃを金種別に一時的に収納する。詳細には、一時保留部８０は、周囲の４面を囲むフレーム内を金種別に区切ることで形成した、直線状に並んだ金種別の収容部の一例である保留部８００ａ〜８００ｆを含み、各保留部８００ａ〜８００ｆは、対応するシュート６０ａ〜６０ｆによって導かれた硬貨Ｃを収納する。より具体的な例としては、シュート６０ａは、金種別排出口から排出された硬貨Ｃを、シュート６０ａの下方に設けられた一時保留部８０内の保留部８００ａへ導く。なお、金種別排出口からシュート６０ａ〜６０ｆを介して排出された硬貨Ｃとしては、硬貨認識部３０において真貨であると判別された硬貨Ｃを挙げることができる。また、一時保留部８０は、一時保留部移動モータ（図示省略）によって、一時保留部８０の下にあるガイド８２に沿って、図１に示す矢印Ｈ及び矢印Ｓで示す方向に移動することが可能である。
【００３７】
（返却箱９０）
返却箱９０は、図１に示すように、一時保留部８０が矢印Ｈ方向に移動した場合に、一時保留部８０の下方に位置するように設けられており、一時保留部８０が矢印Ｈ方向に移動した際に、一時保留部８０から落下する硬貨Ｃを収納する。返却箱９０は、硬貨処理装置１の操作者によって硬貨処理装置１の正面から硬貨処理装置１の外へ引出し可能である。
【００３８】
（ホッパ１１０）
ホッパ１１０は、図１に示すように、一時保留部８０が矢印Ｓ方向に移動した場合に、一時保留部８０の下方に位置するように設けられており、一時保留部８０が矢印Ｓ方向に移動した際に一時保留部８０から落下する硬貨Ｃを金種別に収納する。ホッパ１１０は、図２に示すように、金種別の保留部８００ａ〜８００ｆに対応するように直線状に並べられた複数の金種別ホッパ１１２ａ〜１１２ｆで構成されている。例えば、金種別ホッパ１１２ａは、一時保留部８０の保留部８００ａから図２の矢印Ｐ方向に落下した硬貨Ｃを収納する。また、各金種別ホッパ１１２ａ〜１１２ｆには、硬貨Ｃを１枚ずつ繰り出す搬送切替部１２０が設けられている。
【００３９】
（搬送切替部１２０）
搬送切替部１２０は、先に説明したように、各金種別ホッパ１１２ａ〜１１２ｆに対して設けられ、各金種別ホッパ１１２ａ〜１１２ｆから繰り出された硬貨Ｃの搬送先を切り替える。例えば、搬送切替部１２０は、第１の位置と第２の位置の間で回動する切替ブレード（図示省略）を有する。切替ブレードが第１の位置に位置する際には、硬貨Ｃの搬送ルートは図１の矢印Ｔで示すルートになり、この場合、硬貨Ｃの搬送先は後述する出金箱１３０となる。一方、切替ブレードが第２の位置に位置する際には、硬貨Ｃの搬送ルートは図１の矢印Ｕで示すルートになり、この場合、硬貨Ｃの搬送先は後述する回収箱１４０となる。
【００４０】
（出金箱１３０）
出金箱１３０は出金される硬貨Ｃを収納する。出金箱１３０には、先に説明したように、搬送切替部１２０により矢印Ｔ（図１参照）のルートで搬送された硬貨Ｃが収納される。出金箱１３０は、硬貨処理装置１に対して着脱可能に設けられ、硬貨処理装置１の操作者によって硬貨処理装置１の正面から硬貨処理装置１の外へ引出すことができる。出金箱１３０には、図２に示すように、金種ごとに硬貨Ｃを取り出すことができる金種別の出金小箱１３２ａ〜１３２ｆが直線状に並べて格納されている。この出金小箱１３２ａ〜１３２ｆは、金種別ホッパ１１２ａ〜１１２ｆに対応するように設けられている。すなわち、例えば、出金小箱１３２ａは、ホッパ１１０の金種別ホッパ１１２ａから図１及び図２の矢印Ｔ方向へ搬送される硬貨Ｃを収納する。
【００４１】
（回収箱１４０）
回収箱１４０は回収される硬貨Ｃを収納する。詳細には、回収箱１４０は、先に説明したように、搬送切替部１２０により矢印Ｕ（図１参照）のルートで搬送された硬貨Ｃを収納する。回収箱１４０は、硬貨処理装置１に対して着脱可能に設けられ、硬貨処理装置１の利用者によって硬貨処理装置１の正面から硬貨処理装置１の外へ引出すことができる。
【００４２】
（制御ユニット１５０）
制御ユニット１５０は、硬貨処理装置１の全体動作を制御する。詳細には、制御ユニット１５０は、図１に示すように、装置本体３内に設けられ、上述した各構成要素の動作を制御する制御部（図示省略）と、当該制御部が実行するプログラムや各種のデータを記憶する記憶部（図示省略）とを有する。
【００４３】
さらに、硬貨処理装置１には、図示しない操作表示部が設けられており、当該操作表示部は、硬貨処理装置１の操作者に対して、硬貨処理装置１における処理内容、処理状況を示す表示を行ったり、操作者からの操作を受け付けたりしてもよい。
【００４４】
＜＜選別搬送部４０の詳細構成＞＞
以上、本発明の一実施形態に係る硬貨処理装置１の構成の一例について説明した。続いて、図３及び図５を参照しながら、本実施形態に係る選別搬送部４０の詳細構成について説明する。図３は、本実施形態に係る選別搬送部４０及び硬貨受入部４１６の概略断面図であり、詳細には、図２における硬貨処理装置１の上下方向に沿って、選別搬送部４０及び硬貨受入部４１６を切断した場合の概略断面図である。また、図４は、図３の選別搬送部４０を上方から見た概略図である。さらに、図５は、図３の弾性部材４２２を下方から見た概略図である。
【００４５】
図３及び図４に示すように、選別搬送部４０は、搬送路４００と、ゲート４０４と、搬送ベルト４１０と、プーリ４１２と、弾性部材４２２とを主に有している。
【００４６】
（搬送路４００）
搬送路４００は、先に説明したように、引出ユニット２を装置本体３から引出すことにより、装置本体３から引出すことが可能である。搬送路４００は、搬送路４００の搬送面と後述する搬送ベルト４１０の間に硬貨Ｃを挟むことにより、硬貨Ｃを搬送することができる。搬送路４００は、例えば、選別搬送部４０内を搬送方向（図３及び図４においては矢印Ｄで示される方向）に直線状に伸び（図２から図４においては、図中左側から右側へ）、硬貨Ｃは、搬送方向に沿って搬送路４００の搬送面上を搬送される。
【００４７】
また、搬送路４００には、先に説明したように、リジェクト硬貨収容部７０に収納される硬貨Ｃが落下するリジェクト口、及び一時保留部８０に収納される硬貨Ｃが落下する金種別排出口である、複数の落下口４０２が設けられている。具体的には、各金種別排出口には、それぞれ異なる金種の硬貨Ｃ（例えば、１円、５円、１０円、５０円、１００円、５００円の真性硬貨）が、後述する搬送ベルト４１０による搬送中に落下する。これにより、硬貨Ｃを金種別に排出することが可能となる。また、リジェクト口には、硬貨認識部３０で偽貨と認識されたリジェクト硬貨や、ゴミ等の異物が落下する。リジェクト口を介してリジェクト硬貨や異物が排出されることで、金種別排出口から誤ってリジェクト硬貨や異物が排出されることを防止することができる。
【００４８】
また、リジェクト口及び金種別排出口としての落下口４０２の開口は、硬貨処理装置１で取り扱われる硬貨Ｃのうち、最大の直径を持つ硬貨Ｃよりも大きく設定されており、例えば、約４０ｍｍ四方の正方形状の形状を持つ。なお、本実施形態においては、落下口４０２は、硬貨処理装置１で取り扱われる硬貨Ｃのうち最大直径を持つ硬貨Ｃよりも大きな開口であれば、形状、大きさ等については特に限定されない。
【００４９】
さらに、装置本体３内の各落下口４０２の下方には、先に説明したように、硬貨Ｃをリジェクト硬貨収容部７０へ導くリジェクトシュート５０、及び硬貨Ｃを一時保留部８０へ導くシュート６０が設けられている。以下の説明においては、リジェクトシュート５０及びシュート６０を総称して、硬貨受入部４１６と呼ぶ。硬貨受入部４１６は、図３に示すように、各落下口４０２から落下する硬貨Ｃを確実に受け入れるために、落下口４０２に対応する位置に、落下口４０２と略同一な形状を持つ開口部（第１の開口部）４１８を有している。すなわち、硬貨受入部４１６の開口部４１８の開口の中心は、落下口４０２の開口の中心にほぼ一致するように設けられている。また、開口部４１８の開口の大きさは、上述の落下口４０２に比べて大きく開口している。以下の説明においては、略同一とは、形状及び大きさが、数学的及幾何学的に完全に一致する場合だけでなく、硬貨処理装置１の動作に影響を与えることがない程度の差を含んでいる場合も含むことをいう。
【００５０】
なお、先に説明したように、リジェクト口及び金種別排出口からリジェクト硬貨収容部７０及び一時保留部８０へ硬貨Ｃを直接落下させることが可能な位置に、リジェクト口及び金種別排出口とリジェクト硬貨収容部７０及び一時保留部８０（保留部８００）とが設けられている場合には、リジェクトシュート５０及びシュート６０ａ〜６０ｆを硬貨処理装置１（装置本体２）内に設けなくてもよい。この場合、硬貨Ｃは、リジェクトシュート５０及びシュート６０ａ〜６０ｆを介することなく、リジェクト口及び金種別排出口からリジェクト硬貨収容部７０及び一時保留部８０内の保留部８００へ直接落下する。従って、この場合には、リジェクト硬貨収容部７０及び一時保留部８０内の各保留部８００ａ〜８００ｆは、落下口４０２から落下する硬貨Ｃを受け入れるための開口部を有し、当該開口部は、リジェクトシュート５０及びシュート６０（硬貨受入部４１６）の開口部４１８と同様に、落下口４０２と略同一な形状を持ち、さらに、落下口４０２に比べて大きく開口する。すなわち、リジェクトシュート５０及びシュート６０ａ〜６０ｆが硬貨処理装置１内に設けられていない場合には、硬貨受入部４１６は、リジェクト硬貨収容部７０及び各保留部８００ａ〜８００ｆであってもよい。
【００５１】
（ゲート４０４）
先に説明したように、各落下口４０２には、制御ユニット１５０によって開閉制御されるゲート４０４が設けられている。ゲート４０４は、開閉板４０６と回転軸４０８とを有し、開閉板４０６は、回転軸４０８を中心に図３中の矢印Ｅの方向に回動することにより、それぞれ対応する落下口４０２を開放する。より具体的には、開閉板４０６は、対応する落下口４０２を閉鎖する閉位置と、対応する落下口４０２を開放する開位置との間で回動する。回転軸４０８は、図示しない駆動部に接続されており、当該駆動部は、制御ユニット１５０によって制御され、回転軸４０８を回動させる。さらに、回転軸４０８の回転に伴って開閉板４０６は開位置に移動し（図３中の矢印Ｅの方向）、開閉板４０６が落下口４０２を開放することで、搬送中の硬貨Ｃが落下口４０２に落下する。その後、駆動部に対する制御ユニット１５０の制御が解消されると、回転軸４０８は自由に回動することが可能となり、開閉板４０６に設けられたスプリング等の付勢部材（図示省略）による付勢力により、開閉板４０６は閉位置に移動する（図３中の矢印Ｅの方向とは反対方向）。そして、開閉板４０６が閉位置に位置して、開閉板４０６が落下口４０２を閉鎖することで、搬送中の硬貨Ｃは落下口４０２から排出されず、開閉板４０６上を通過する。なお、開閉板４０６は、落下口４０２を落下する硬貨Ｃをガイドするガイド機能も有する。
【００５２】
（搬送ベルト４１０及びプーリ４１２）
搬送ベルト４１０は、搬送方向に沿って搬送路４００の上方に設けられ、搬送路４００とともに硬貨Ｃを挟んだ状態で回転することによって、硬貨Ｃを搬送方向（図３及び図４においては矢印Ｄで示される方向）へ搬送する。詳細には、搬送ベルト４１０は、２つのプーリ４１２によって帳架され、プーリ４１２の回転に連動して回転する。プーリ４１２は、図示しないベルト駆動部の駆動力を受けて回転する。
【００５３】
（弾性部材４２２）
弾性部材４２２は、搬送路４００と硬貨受入部４１６との間であって、硬貨受入部４１６の開口部４１８の周囲に設けられる。詳細には、弾性部材４２２は、開口部４１８の外周を、開口部４１８の外周と弾性部材４２２との間が空くことなく、もしくは、開口部４１８の外周と弾性部材４２２との間に若干距離をおいて、取り囲むように設けられる。弾性部材４２２は、図５に示されるように、その表面に設けられた複数のモヘアシール（毛足状部材）４１４を含み、図３に示されるように、引出ユニット２（搬送路４００）が装置本体３に取り付けられた際に、搬送路４００と硬貨受入部４１６（例えば、シュート６０）との間の隙間（図３のＡで示される）を、硬貨処理装置１で取り扱われる硬貨Ｃのうち最も薄い硬貨Ｃの厚みよりも狭くするように、搬送路４００の硬貨受入部４１６側の面の上方に設けられる。ただし、図３に示されるように、弾性部材４２２と搬送路４００の硬貨受入部４１６側の面との間には空間（詳細には、弾性部材４２２の厚み程度もしくは厚みよりも大きな空間）が確保される。また、図４から図５に示されるように、弾性部材４２２は、搬送路４００の搬送面と略一な形状を有し、搬送路４００の搬送面に比べて若干小さい板状の部材であり、複数の開口部（第２の開口部）４２４を含む。当該開口部４２４の数は、特に限定されないが、硬貨受入部４１６の数と同じであることが好ましく、すなわち、一時保留部８０に収納される硬貨Ｃの金種（例えば、１円、５円、１０円、５０円、１００円、５００円）に対応するように設けられた金種別排出口である、搬送路４００の複数の落下口４０２の数と同じであることが好ましい。また、当該開口部４２４は、硬貨受入部４１６の開口部４１８と略同一な形状及び大きさを有し、開口部４２４は、開口部４１８と対応する位置に、すなわち、開口部４２４の開口の中心と開口部４１８の開口の中心とがほぼ一致するように、弾性部材４２２は、搬送路４００の硬貨受入部４１６側の面の上方に設けられる。従って、弾性部材４２２及び硬貨受入部４１６を弾性部材４２２の上方（すなわち、搬送路４００側）から見た場合には、開口部４２４と開口部４１８は重なって見える。なお、硬貨Ｃが搬送路４００と硬貨受入部４１６との間の隙間に入り込むことを避けるために、弾性部材４２２の開口部４２４は、硬貨受入部４１６の開口部４１８の大きさと一致又は近いことが好ましい。しかしながら、開口部４２４を開口部４１８の大きさと一致させることが難しい場合には、開口部４２４を、例えば、硬貨処理装置１で取り扱われる硬貨Ｃのうち直径の最も小さい硬貨Ｃの直径の３分の１程度（例えば数ｍｍ程度）、開口部４１８よりも大きく開口させるように設けてもよい。このような場合、弾性部材４２２及び硬貨受入部４１６を弾性部材４２２の上方から見ると、開口部４２４に開口部４１８が含まれているように見える。さらに、開口部４２４は、落下口４０２と略同一の形状を有し、且つ、落下口４０２における硬貨Ｃの落下を妨げることを避けるために、落下口４０２よりも若干大きく（例えば数ｍｍ程度）開口するように設けられている。従って、弾性部材４２２及び搬送路４００を下方（すなわち、硬貨受入部４１６側）から見た場合には、開口部４２４に落下口４０２が含まれるように見える。
【００５４】
また、弾性部材４２２は、先に説明したように複数のモヘアシール４１４を含む。このモヘアシール４１４は、図５に示すように、複数の直方体形状の部材である。このモヘアシール４１４は、開口部４２４の周囲を取り囲むように弾性部材４２２上に設けられ、すなわち、硬貨受入部４１６の開口部４１８と搬送路４００の落下口４０２とを四方から取り囲む。なお、なお、硬貨Ｃが搬送路４００と硬貨受入部４１６との間の隙間に入り込むことを避けるために、モヘアシール４１４は、開口部４２４により近く設けられることが好ましく、さらに、開口部４２４の外周上に設けられることがより好ましい。しかしながら、モヘアシール４１４を上述のような位置に設けることが難しい場合には、例えば、モヘアシール４１４を、硬貨処理装置１で取り扱われる硬貨Ｃのうち直径の最も小さい硬貨Ｃの直径の３分の１程度、開口部４２４から離れた位置に配置してもよい。また、モヘアシール４１４は、図４及び図５に示されるような複数の直方体形状の部材であることに限定されるものではなく、他の形状の部材であってもよい。また、図４及び図５に示されるように、モヘアシール４１４を構成する各直方体形状の部材の長辺は、開口部４２４を取り込むために開口部４２４の各辺の長さとほぼ同じもしくは若干長い長さをもっているが、本実施形態においては、直方体形状の部材の大きさは、図４及び図５に示されるものに限定されるものではなく、少なくとも、搬送路４００と硬貨受入部４１６の間に、硬貨Ｃが入り込むことが可能な程度の空間を生じさせることがないような大きさであればよい。
【００５５】
モヘアシール４１４以外の弾性部材４２２の部分は、外部から印加された力によって当該力に追従して変形し、当該力が除去されると、内部応力によって形状が復元する弾性材料から形成される。詳細には、モヘアシール４１４以外の弾性部材４２２の部分は、搬送路４００と硬貨受入部４１６との間の隙間の大きさにばらつきがあっても、モヘアシール４１４とともに、当該隙間が硬貨処理装置１で取り扱われる硬貨Ｃのうち最も薄い硬貨Ｃの厚みよりも狭くするように、当該隙間全体又は一部を塞ぐことができるような弾性材料から形成される。すなわち、モヘアシール４１４以外の弾性部材４２２の部分の材料としては、例えば、搬送路４００と硬貨受入部４１６との間が非常に狭い場合には、弾性部材４２２が、搬送路４００及び硬貨受入部４１６によって両側から挟まれても破砕することなく、搬送路４００と硬貨受入部４１６との間の隙間の全体を塞ぐことができ、一方、搬送路４００と硬貨受入部４１６との間が広い場合には、弾性部材４２２が、弾性部材４２２の本来の形状を維持しながら、搬送路４００と硬貨受入部４１６との間の隙間の一部を塞ぐことができるような弾性材料であることが好ましい。さらに、モヘアシール４１４以外の弾性部材４２２の部分の材料としては、引出ユニット２が装置本体３から引出される際に、装置本体３上を搬送路４００に設けられた弾性部材４２２（モヘアシール４１４も含む）が摂動しても、弾性部材４２２が摂動により印加された力によって変形し、弾性部材４２２の破砕を防ぐことができるような弾性材料であることが好ましい。このような弾性材料としては、例えば、樹脂材料、ゴムを挙げることができ、取扱の容易性やコスト等の面から、ＰＥＴ（Ｐｏｌｙｅｔｈｙｌｅｎｅ  ｔｅｒｅｐｈｔｈａｌａｔｅ）からなるマイラーシートを挙げることができる。
【００５６】
また、モヘアシール４１４以外の弾性部材４２２の部分の厚みは、例えば、１〜２ｍｍ程度であり、少なくとも引出ユニット２（搬送路４００）が装置本体３に取り付けられた際に、搬送路４００と硬貨受入部４１６との間の隙間を、モヘアシール４１４とともに、硬貨処理装置１で取り扱われる硬貨Ｃのうち最も薄い硬貨Ｃの厚みよりも狭くすることができるような厚みであれば良い。搬送路４００と硬貨受入部４１６との間の距離は、製造バラツキによって硬貨処理装置１ごとに異なるため、製造バラツキが生じていても、弾性部材４２２によって当該隙間を最も薄い硬貨Ｃの厚みよりも狭くすることができるように、モヘアシール４１４以外の弾性部材４２２の厚みを選択することが好ましい。なお、モヘアシール４１４の厚みも、搬送路４００と硬貨受入部４１６との間の隙間を、モヘアシール４１４以外の弾性部材４２２の部分とともに、硬貨処理装置１で取り扱われる硬貨Ｃのうち最も薄い硬貨Ｃの厚みよりも狭くすることができるような厚みであれば良く、例えば、２〜３ｍｍ程度であることが好ましい。
【００５７】
ところで、先に説明したように、硬貨処理装置１においては、引出ユニット２は、保守等のために、硬貨処理装置１の装置本体３から引出すことができるようになっている。そして、引出ユニット２を装置本体３から引出すために、引出ユニット２と装置本体３との間には隙間（１〜２ｍｍ程度）（図３においてＡで示される）が存在する。上記隙間は、引出ユニット２内に設けられた選別搬送部４０の搬送路４００と、装置本体３内に設けられたシュート６０等である硬貨受入部４１６との間の隙間でもある。硬貨Ｃは、一般的に１．５ｍｍ程度の厚みを有するため、先に説明したように、搬送路４００の落下口４０２から硬貨Ｃが落下する際に、落下した硬貨Ｃが、搬送路４００と硬貨受入部４１６との間の隙間に入り込むことがある。このような場合、硬貨が当該隙間に入り込むことで、当該硬貨が適切に硬貨受入部４１６（例えばシュート６０）を介して一時保留部８０内の保留部８００等の硬貨Ｃを適切に収納する各収納部に収納されないため、硬貨認識部３００の計数結果と上記収納部に収納された硬貨の総額とが異なる違算が生じることとなる。
【００５８】
また、搬送路４００に設けられた各落下口４０２と、各落下口４０２から落下する硬貨Ｃを収納する一時保留部８０及びリジェクト硬貨収容部７０との位置によっては、各落下口４０２から一時保留部８０及びリジェクト硬貨収容部７０へ硬貨Ｃを導くシュート６０及びリジェクトシュート５０（硬貨受入部４１６）の搬送路４００の搬送面に対する傾きが緩やかになる場合がある（例えば、硬貨処理装置１の水平面において落下口４０２と保留部８００とが離れている場合には、落下口４０２から保留部８００へと導くシュート６０の傾きが緩やかになる）。このような場合、自重により硬貨受入部４１６内を落下する硬貨Ｃは、緩やかに傾く硬貨受入部４１６の内壁にぶつかって、上方、すなわち搬送路４００側へ跳ね返ることがあり、跳ね返った硬貨Ｃは、搬送路４００と硬貨受入部４１６との間の隙間に入り込むことがある。従って、硬貨受入部４１６の搬送路４００の搬送面に対する傾きが緩やかな場合には、落下口４０２を落下する際だけでなく、硬貨受入部４１６を落下する際にも、硬貨Ｃが搬送路４００と硬貨受入部４１６との間の隙間に入り込むおそれがある。特に、選別搬送部４０が、回転円盤によって、硬貨Ｃをドーナツ状の搬送路上で搬送するような形態である場合には、ドーナツ状の搬送路上に１つの円周に沿って並ぶように設けられた複数の落下口４０２から直線状に並ぶ各保留部８００へ導くこととなり、いずれかの落下口４０２と、当該落下口４０２に対応する保留部８００とが、硬貨処理装置１の水平面において離れていることがある。この場合、当該落下口４０２から当該保留部８００へ導く硬貨受入部４１６の傾きが緩やかになることから、当該硬貨受入部４１６を落下する硬貨Ｃは、緩やかに傾く硬貨受入部４１６の内壁にぶつかって、搬送路４００側へ跳ね返り、上記隙間に入り込むことがある。
【００５９】
そこで、本実施形態によれば、モヘアシール４１４を含む弾性部材４２２が、搬送路４００と硬貨受入部４１６との間であって、硬貨受入部４１６の開口部４１８の周囲に設けられ、搬送路４００と硬貨受入部４１６との間の隙間を、硬貨処理装置１で取り扱われる硬貨Ｃのうち最も薄い硬貨Ｃの厚みよりも狭くするように塞ぐことから、搬送路４００と硬貨受入部４１６との間の隙間に硬貨Ｃが入り込むことを防ぐことができる。
【００６０】
また、搬送路４００と硬貨受入部４１６との間の隙間に硬貨Ｃが入り込むことを防ぐために、機械装置内にごみ等が入るこむことを防止するために機械装置の開口部や隙間に設けられるモヘアシールのみを用いて、上記隙間を塞ぐことが考えられる。しかしながら、モヘアシールは、形状復元力が弱く、また、外部からの力に追従して形状変化する能力に限界があり、印加された力によっては破砕してしまう場合がある。詳細には、先に説明したように、製造バラツキによって、硬貨処理装置１ごとに搬送路４００と硬貨受入部４１６との間の距離が異なることがある。従って、搬送路４００と硬貨受入部４１６との間が広い硬貨処理装置１において、モヘアシールによって搬送路４００と硬貨受入部４１６との間の隙間を塞ぐことができるように、モヘアシールの厚みを選択しても、搬送路４００と硬貨受入部４１６との間が非常に狭い硬貨処理装置１に同じ厚さを持つモヘアシールを設けた場合には、モヘアシールは、搬送路４００と硬貨受入部４１６とによって両側から挟まれ、破砕することがある。また、引出ユニット２（搬送路４００）が装置本体３から引出される際に、装置本体３上をモヘアシールが摂動する場合には、モヘアシールは、摂動により印加される力を当該力に追従して形状変化することによって吸収することができなくなり、破砕することがある。さらに、モヘアシールが破砕しない場合であっても、再度、引出ユニット２（搬送路４００）を装置本体３に格納した際には、モヘアシールの形状が復元せず、搬送路４００と硬貨受入部４１６との間の隙間を塞ぐことができなくなっていることがある。
【００６１】
そこで、本実施形態においては、モヘアシール４１４を支える弾性部材４２２の部分が、外部から印加された力によって当該力に追従して変形し、当該力が除去されると、内部応力によって形状が復元する弾性材料から形成されている。従って、搬送路４００と硬貨受入部４１６との間の距離にばらつきがある場合であっても、弾性部材４２２が変形することで、弾性部材４２２の破砕を避けつつ、搬送路４００と硬貨受入部４１６との間の隙間を塞ぐことができる。例えば、搬送路４００と硬貨受入部４１６との間の距離が狭く、モヘアシール４１４を含む弾性部材４２２が搬送路４００と硬貨受入部４１６によって両側から挟まれることになっても、弾性部材４２２が両者から印加された力に追従して形状変化し、当該力を吸収するため、弾性部材４２２は破砕することなく、上記隙間を塞ぐことができる。また、引出ユニット２が装置本体３から引出される際に、装置本体３上を、モヘアシール４１４を含む弾性部材４２２が摂動することがあっても、弾性部材４２２は、摂動により印加された力を当該力に追従して形状変形することができる。そして、変形することにより、弾性部材４２２は、引出ユニット２（搬送路４００）が装置本体３に取り付けられた際に弾性部材４２２と搬送路４００の硬貨受入部４１６側の面との間に存在する空間に逃げ込むことができることから、摂動により力がさらに印加されて弾性部材４２２が破砕することを避けることができる。さらに、弾性部材４２２は、上記摂動によって形状が変化しても、摂動による力が除去されることにより形状を復元することができるため、再度、引出ユニット２（搬送路４００）を装置本体３に格納した際には、もとの形状及びもとの位置に戻り、搬送路４００と硬貨受入部４１６との間の隙間を塞ぐことができる。
【００６２】
なお、上述の実施形態においては、図３から図５に示される弾性部材４２２は、搬送路４００の形状と略同一な１枚の板状の形状を有し、且つ、複数の開口部４２４を有する部材として説明したが、本実施形態においては、このような部材に限定されるものではなく、例えば、弾性部材４２２は、１つの開口部のみを有する小さな板状部材を複数個組み合わせて構成されてもよく、特に、限定されるものではない。
【００６３】
＜＜変形例＞＞
なお、本実施形態に係る弾性部材４２２は、図３から図５のように設けられることに限定されるものではなく、他の形態であってもよい。そこで、本実施形態の変形例として、第１から第４の変形例を説明する。なお、以下に説明する変形例においては、硬貨処理装置１の構成、弾性部材４２２以外の選別搬送部４０の詳細構成及び弾性部材４２２の材料及び厚み等については、上述の実施形態と共通であり、従って、上述の実施形態の説明及び説明図である図１及び図２を参照し得る。そのため、以下では、各変形例に係る弾性部材４２２の形態についてのみ説明する。
【００６４】
＜第１の変形例＞
落下口４０２を落下する硬貨Ｃが開閉板４０６によりガイドされながら硬貨処理装置１の上下方向に沿って落下するために、硬貨Ｃが開閉板４０６に接続された回転軸４０８側の搬送路４００と硬貨受入部４１６との間の隙間へ進むことがなく、当該隙間に硬貨Ｃが入り込む可能性がないと予測される場合には、開口部４１８を回転軸４０８側以外の三方から取り囲むように複数のモヘアシール５１４を設けてもよい。そこで、本実施形態の第１の変形例として、開口部４１８を回転軸４０８側以外の三方から取り囲むように設けられたモヘアシール５１４を、図６及び図７を参照して説明する。図６は、本変形例に係る選別搬送部４０及び硬貨受入部４１６の概略断面図であり、詳細には、図２における硬貨処理装置１の上下方向に沿って、選別搬送部４０及び硬貨受入部４１６を切断した場合の概略断面図である。また、図７は、図６の選別搬送部４０を上方から見た概略図である。
【００６５】
本変形例においては、図６及び図７に示すように、モヘアシール５１４は複数の部材からなり、これらの複数の部材は、上述の実施形態と同様に、直方体形状を有し、開口部４２４を回転軸４０８側以外の三方から取り囲むように、弾性部材４２２上に設けられる。硬貨受入部４１６が硬貨処理装置１の上下方向に沿って伸びている場合には、落下口４０２を落下する硬貨Ｃは、開閉板４０６によりガイドされながら落下し、さらには、硬貨受入部４１６の内壁にぶつかることなく硬貨受入部４１６を硬貨処理装置１の上下方向に沿って落下することから、硬貨Ｃが開閉板４０６に接続された回転軸４０８側の搬送路４００と硬貨受入部４１６との間の隙間へ進むことがなく、当該隙間に硬貨Ｃが入り込む可能性がないと予測される。従って、本変形例においては、モヘアシール５１４を、開口部４２４、言い換えると開口部４１８を回転軸４０８側以外の三方から取り囲むように設けている。このようにすることで、弾性部材４２２を構成する部材の数を少なくし、硬貨処理装置１の製造コストを抑えることができる。なお、本変形例においては、上述の実施形態と同様に、モヘアシール５１４の複数の部材は、直方体形状の部材であることに限定されるものではなく、他の形状の部材であってもよい。
【００６６】
＜第２の変形例＞
また、本実施形態においては、モヘアシールの形状は限定されず、例えば、開口を有する環状の部材であってもよい。そこで、本実施形態の第２の変形例として、開口を有する環状の部材であるモヘアシール６１４を、図８を参照して説明する。図８は、第２の変形例に係る選別搬送部４０を上方から見た概略図である。
【００６７】
本変形例においては、図８に示すように、モヘアシール６１４は、開口部４２４と略同一の形状の開口を有する環状の部材であり、その開口は、開口部４２４とほぼ同じ、もしくは、開口部４２４にくらべて若干大きく開いている。さらに、モヘアシール６１４は、その開口の中心が開口部４２４の中心に一致するように、板状の弾性部材４２２上に設けられる。このように、モヘアシール６１４を、開口を有する環状の部材とすることにより、搬送路４００と硬貨受入部４１６との間の隙間の面積を狭くし、搬送路４００と硬貨受入部４１６との間の隙間に硬貨Ｃが入り込むことを、より確実に防ぐことができる。
【００６８】
なお、図８に示すように、１枚の板状の弾性部材４２２の上に複数の上記モヘアシール６１４が設けられているものとして説明したが、本実施形態においては、図８に示すような形態に限定されるものではなく、例えば、弾性部材４２２は、モヘアシール６１４と略同一な環状の形状を持ち、モヘアシール６１４に比べて大きなサイズを持つ、複数の板状部材から構成されてもよい。この場合、環状の弾性部材４２２は、その開口の中心が開口部４１８の開口の中心、落下口４０２の開口の中心とほぼ一致するように、搬送路４００の硬貨受入部４１６側の面の上方に設けられる。
【００６９】
＜第３の変形例＞
また、本実施形態においては、モヘアシール７１４は開口を複数有する板状の部材であってもよい。そこで、本実施形態の第３の変形例として、開口を有する板状の部材であるモヘアシール７１４を、図９を参照して説明する。図９は、第３の変形例に係る選別搬送部４０及び硬貨受入部４１６の概略断面図であって、詳細には、図２における硬貨処理装置１の上下方向に沿って、選別搬送部４０及び硬貨受入部４１６を切断した場合の概略断面図である。
【００７０】
本変形例においては、図９に示すように、モヘアシール７１４は、開口部４２４と略同一の複数の開口を有する板状の部材であり、弾性部材４２２と略同一の１枚の板状形状を有する。すなわち、モヘアシール７１４は、搬送路４００の搬送面と略同一な形状を有する。そして、モヘアシール７１４は、その開口の中心が開口部４２４の中心に一致するように、弾性部材４２２の硬貨受入部４１６側の面上を覆うように設けられる。このように、モヘアシール７１４を、複数の開口を有する弾性部材４２２と略同一な板状部材とすることにより、搬送路４００の硬貨受入部４１６側の面がモヘアシール７１４で覆われることとなるため、搬送路４００を保護し、搬送路４００の破損（例えば、引出ユニット２（搬送路４００）を装置本体３から引出す際に生じる破損）を防ぐことができる。さらに、引出ユニット２が装置本体３から引出される際に、装置本体３上を、モヘアシール７１４を含む弾性部材４２２が摂動することがあっても、弾性部材４２２は、摂動により印加された力を当該力に追従して形状変形することができる。そして、変形することにより、弾性部材４２２は、引出ユニット２（搬送路４００）が装置本体３に取り付けられた際に弾性部材４２２と搬送路４００の硬貨受入部４１６側の面との間に確保されていた空間に逃げ込むことができることから、摂動により力がさらに印加されて弾性部材４２２及びモヘアシール７１４が破砕することを避けることができる。
【００７１】
＜第４の変形例＞
上述の実施形態及び第１から第３の変形例においては、各弾性部材は、搬送路４００の硬貨受入部４１６側の面上に設けられていた。しかしながら、本実施形態に係る弾性部材は、このような位置に設けられることに限定されるものではなく、硬貨受入部４１６（例えば、シュート６０）の開口部４１８の外周を定める枠４２０上に設けられていてもよい。そこで、本実施形態の第４の変形例として、硬貨受入部４１６の枠４２０上に設けられた弾性部材８２０を、図１０を参照して説明する。図１０は、第４の変形例に係る選別搬送部４０及び硬貨受入部４１６の概略断面図であり、詳細には、図２における硬貨処理装置１の上下方向に沿って、選別搬送部４０及び硬貨受入部４１６を切断した場合の概略断面図である。
【００７２】
本変形例においては、図１０に示すように、弾性部材８２０は、硬貨受入部４１６の開口部４１８の外周を定める枠４２０上に設けられる。なお、本変形例の弾性部材８２０は、枠４２０と略同一な形状及び大きさを有する環状の複数の部材から構成されていてもよく（図１０参照）、もしくは、開口部４１８と略同一の形状及び大きさの複数の開口を有する板状の部材であってもよい。また、弾性部材８２０は、上述の実施形態と同様に、その搬送路４００側の面に設けられたモヘアシール８１４を含む。
【００７３】
また、本実施形態に係る硬貨処理装置１においては、上述のように、硬貨受領部１０と、硬貨繰出部２０と、硬貨認識部３０と、選別搬送部４０とを主に有する引出ユニット２以外にも、装置本体３から引出可能な部位があってもよい。例えば、装置本体３内に設けられた一時保留部８０やホッパ１１０も、装置本体３から引出すことができる。一時保留部８０やホッパ１１０等も、その上方にある部位から落下する硬貨Ｃを受け入れる構造を持ち、さらに、装置本体３から引出すために、一時保留部８０やホッパ１１０等とその上方にある部位との間には隙間が存在する。従って、上述したような弾性部材を一時保留部８０やホッパ１１０等とその上方にある部位との間の隙間に設けることにより、上述と同様に、上方から一時保留部８０やホッパ１１０等へ硬貨Ｃが落下する際に、硬貨Ｃが当該隙間に入り込むことを避けることができる。
【００７４】
また、硬貨処理装置１だけでなく、他の現金処理装置においても同様の構成を有する場合には、上述の実施形態を適用することができる。さらに、硬貨処理装置１を含む現金処理装置内のシャッタが取り付けられた部位においても、シャッタの開閉のために設けられた隙間に硬貨Ｃが入り込まないように、上述の実施形態を適用することができる。
【００７５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７６】
１    硬貨処理装置
２    引出ユニット
３    装置本体
１０    硬貨受領部
２０    硬貨繰出部
３０    硬貨認識部
４０    選別搬送部
５０    リジェクトシュート
６０、６０ａ〜６０ｆ    シュート
７０    リジェクト硬貨収容部
８０    一時保留部
８２    ガイド
９０  返却箱
１０２    投入口
１１０    ホッパ
１１２、１１２ａ〜１１２ｆ    金種別ホッパ
１２０    搬送切替部
１３０    出金箱
１３２、１３２ａ〜１３２ｆ    出金小箱
１４０    回収箱
１５０    制御ユニット
４００    搬送路
４０２    落下口
４０４    ゲート
４０６    開閉板
４０８    回転軸
４１０    搬送ベルト
４１２    プーリ
４１４、５１４、６１４、７１４、８１４    モヘアシール
４１６    硬貨受入部
４１８、４２４    開口部
４２０    枠
４２２、８２０    弾性部材
８００、８００ａ〜ｆ  保留部
Ｃ    硬貨
【図１】
0006493248.tif 000002
【図２】
0006493248.tif 000003
【図３】
0006493248.tif 000004
【図４】
0006493248.tif 000005
【図５】
0006493248.tif 000006
【図６】
0006493248.tif 000007
【図７】
0006493248.tif 000008
【図８】
0006493248.tif 000009
【図９】
0006493248.tif 000010
【図１０】
0006493248.tif 000011